(57)【要約】【課題】　処理空間の外部へ水の飛散を防ぐ手乾燥装置を得る。【解決手段】　外部に向って開口した挿入口３６から手を抜き差しできる処理空間３を有し、この処理空間３に挿入される手に対して高圧空気発生部１により生成される作動気流を吹き当てて、作動気流の運動エネルギーにより手に付着した水分を払拭するように構成した手乾燥装置で、処理空間３を前方に挿入口３６を有する前後方向の空間として構成し、その下方には水受け部２を構成し、かつ処理空間３へ上側から下向きに奥側に向って５度から３０度の吹出し角度をもって上記作動気流を吹出させた手乾燥装置。【選択図】　　　　図１
2004000716.tif 000002
【特許請求の範囲】
【請求項１】
外部に向って開口した挿入口から手を抜き差しできる処理空間を有し、この処理空間の上記挿入口近傍において上記処理空間に挿入される手に対して高圧空気発生部により生成される作動気流を吹き当てて、作動気流の運動エネルギーにより手に付着した水分を払拭するように構成した手乾燥装置であって、上記処理空間を前方に挿入口を有する前後方向の空間として構成し、その下方には水受け部を構成し、かつ処理空間へ上側から下向きに奥側に向って５度から３０度の吹出し角度をもって上記作動気流を吹出させた手乾燥装置。
【発明の詳細な説明】
【技術分野】
【０００１】
　この発明は洗浄後の濡れた手を衛生的かつ迅速に乾燥させるための手乾燥装置に関するものである。
【背景技術】
【０００２】
　手を衛生的な状態に保全するには手の洗浄処置とともに、洗浄後の乾燥処置も衛生的に行なわれる必要があり、そのために洗浄によって濡れた手を直接乾燥させる、例えば特開平２―２３９１８号公報に開示されているような手乾燥装置が用いられている。上記公報に示されている従来の手乾燥装置は、誘導電動機とこれにより回転する羽根とからなる送風手段と、電気ヒーターによる加熱手段とにより構成されている。送風手段はシロッコタイプの羽根の回転により、手乾燥部に吹き出す空気流を形成し、電気ヒーターは送風手段で形成される空気流を加熱し、手乾燥部に吹き出す空気流を熱風とする。
【０００３】
　上記構成の手乾燥装置では、熱風の吹き出している手乾燥部に濡れた手をかざすことにより手を衛生的に乾燥させることができる。即ち、熱風に当たった手の水分は熱により蒸発し、手から除去されることになる。しかしながら、この種のものは、風速を遅く熱風を高温にして水分を風で吹き飛ばすのではなく、熱で蒸発させる方式であり、乾燥処理にけっこう時間がかかり、使用にあたり煩わしさが伴う。
【０００４】
　こうした問題は、蒸発によらず気流の運動エネルギーを利用して手に付着した水分を吹き飛ばす方式の例えば、特開昭６３―１５４１３８号公報や特開平５―２９３０５５号公報に示されているような手乾燥装置の開発によって解消されている。この種のものは手を抜き差しできる処理室の挿入口の近傍に、挿入口から処理室にかざされる手に高い運動エネルギーを持つ高速空気流をノズルにより噴出するように構成されている。挿入口から処理室に濡れた手を入れるとノズルから高速空気流が噴出し、挿入口から手を引き抜くと手に付着した水分が気流以外とは非接触のまま手から極短時間に吹き飛ばされ衛生的に乾燥処理がなされる。
【０００５】
【特許文献１】特開平０２−２３９１８号公報（第２−４頁、第１図）
【特許文献２】特開昭６３−１５４１３８号公報（第２−３頁、第１図）
【特許文献３】特開平０５−２９３０５５号公報（第５−１０頁、第３図）
【発明の開示】
【発明が解決しようとする課題】
【０００６】
　高速空気流により手に付着した水分を吹き飛ばす方式の上記した従来の手乾燥装置においては、乾燥処理時に使用者に水がはね返ってきたりすることがあった。また、この種の装置は設置場所が洗面所等の水をよく使うところであることが多く、清掃等に用いた水が外殻の表面に付着したりしていると高速空気流を作り出すブロアーの吸込口から水が空気とともに吸込まれ、ブロアーの故障につながるといった問題点があった。こうした問題は、特にブロアーの吸込口が本体の下部に設けられていると、顕在化する。
【０００７】
　一方、この種の手乾燥装置にはブロアーの吸込口には塵埃を捕集するエアーフィルターが装着されているが、捕集した塵埃を定期的に清掃する必要があるため殆どのものが外部から容易に着脱できる構成が採られている。そのため清掃時にエアーフィルターを付け忘れたり、あるいは公衆便所や不特定多数の人が利用する公共施設に設置されている場合には、悪戯によってエアーフィルターが外されたりして、エアーフィルター無しの故障原因になる不適切な状態で使用されることがある。
【０００８】
　本発明は上記した問題点を解決するためになされたもので、本発明の課題とするところは、外部への水の飛散を防止できる手乾燥装置を得ることである。
【課題を解決するための手段】
【０００９】
　前記課題を達成するために本発明は、外部に向って開口した挿入口から手を抜き差しできる処理空間を有し、この処理空間の挿入口近傍において処理空間に挿入される手に対して高圧空気発生部により生成される作動気流を吹き当てて、作動気流の運動エネルギーにより手に付着した水分を払拭するように構成した手乾燥装置について、その下方には水受け部を構成し、かつその処理空間を前方に挿入口を有する前後方向の空間として構成し、処理空間へ上側から下向きに奥側に向って５度から３０度の吹出し角度をもって作動気流を吹出させる手段を採用する。
【発明の効果】
【００１０】
　以上、実施の形態による説明からも明らかなように、本発明によれば、外部への水の飛散を防止できる手乾燥装置が得られる。
【発明を実施するための最良の形態】
【００１１】
　次に本発明の実施の形態を図面に基づいて説明する。
実施の形態１．
　図１，２，３はこの実施の形態１の手乾燥装置を示したものである。図１に示すように、この手乾燥装置は上部の高圧空気発生部１と、下部の水受け部２とからなり、高圧空気発生部１と水受け部２の間が処理空間３として構成され、取付板を介して背面において洗面所等の壁面に取付け得るようになっている。高圧空気発生部１は、箱型容器構造のケーシング４にモーター５とこれにより回転されるターボファン６とからなるブロアー７が組込まれて構成されている。ブロアー７は吸込側を背面側にして排気側を前方にしてブロアーケース８内に収められている。ブロアー７の吸込側は高圧空気発生部１の背面側に画成された上下方向に連なる通気路９の上端部に連絡している。この通気路９は、下端が接続口１０として下向きに開口している。この接続口１０には、図１に示すように第２のエアーフィルター１１が溶着ダボによって固定されている。
【００１２】
　ブロアー７の排気側のブロアーケース８の前側下部には吹出口が開設され、この吹出口にブロアー７により生成された高圧空気を作動気流としての高速空気流に変換する気流噴出ノズル１２が装着されている。気流噴出ノズル１２の噴出口１３はケーシング４の下面前部に横方向にやや円弧をなして下向きに開口するスリット又は小孔の列で構成され、処理空間３の奥側に５度〜３０度の角度をもって斜め下向きに向けられている。ブロアーケース８の吹出口と気流噴出ノズル１２との間にはここを通過する高圧空気を昇温するヒーター１４が組み込まれている。また、高圧空気発生部１の下面の噴出口１３の奥寄りには、手感知センサー１５を構成する発光素子と受光素子とが横並びに取付けられ、発光素子の反射光の受光により手の在不在が検知できるように構成されている。
【００１３】
　ブロアーケース８の上方には回路基板１６が板金カバー１７で被覆されて組込まれている。この板金カバー１７の背面側は開放していて、回路基板１６に装着された放熱フィン１８が開放部分に臨んで配置されている。板金カバー１７のこの開放部近くには、ケーシング４の背面側と前面側との合わせ部１９があり、この合わせ部１９を内側において跨ぎ、開放部を外側から隙間をもって覆う庇状の防水部材２０が取付けられている（図２参照）。この防水部材２０により万一、合わせ部１９から水が入り込んでも回路基板１６への水の侵入は防止されるので、ケーシング４の合わせ部１９に対するシリコン塗布やパッキンを介在させるなどの防水対策が不要になる。なお、防水部材２０は高圧空気発生部１の背面部材４１に一体にしてもよい。
【００１４】
　高圧空気発生部１の電源コード２１は、図３に示すようにケーシング４の背面に開口した引出口２３から外部に引き出されている。この引出口２３の内部側には、引出口２３の下側口縁に底部の端が連結し、引出口２３の両側口縁に両側部の端が連結した上部の開放した防水ボックス構造２４が一体に形成されている。電源コード２１はこの防水ボックス構造２４の上部から防水ボックス構造２４を経て引出口２３から外部に引き出されている。従って、水が上部からケーシング４の背面を伝わって流下してきて、引出口２３から入り込んでも防水ボックス構造２４によりそれ以上の内部への侵入は阻まれることになり、ゴムブッシュ等の別部品を用いることなく引出口２３に対する有効な防水対策となる。
【００１５】
　水受け部２は、背面構造２５の下部に前方に突出するタンク受２６を有する略Ｌ字形をなす基体と、この基体のタンク受２６に着脱可能に受承されるドレンタンク２７とから構成され、背面構造２５の上端が高圧空気発生部１の通気路９の接続口１０にねじにより接続されている。水受け部２の背面構造２５の内部は上下に連通する通気路２８として構成され、高圧空気発生部１の接続口１０への接続により一連の通気路９，２８が形成されている。この水受け部２の通気路２８の下端は吸込口２９として開口し、係脱可能の第１のエアーフィルター３０が装着されている。この第１のエアーフィルター３０は、高圧空気発生部１の接続口１０に固着された第２のエアーフィルター１１と略同一性能のものであり、吸込口２９から吸込まれる空気に含まれる塵埃を除去する。
【００１６】
　ドレンタンク２７は、上面の開放した容器体であり、その背面には上部に突起３１を持つ係止片３２が突き出していて、底面をタンク受２６上に載せて押し込むことにより、タンク受２６の上部奥側に設けられた押えバネ（図示しない）が係止片３２の突起３１に掛止まることによりタンク受２６に装着される。係止片３２の突起３１と押えバネは、ラッチアンドストライクと称される係止装置によって構成してもよい。ドレンタンク２７の上面の開放部分の周縁には、外側へ緩い下り勾配を持つ張出し３３が一体に成形され、その内側において開放部分がドレンタンク２７内に連絡するドレン口３４を有する係脱可能のタンクカバー３５により閉蓋されている。タンクカバー３５には、ドレン口３４に水を流下させるための勾配が付けられている。
【００１７】
　処理空間３は、高圧空気発生部１の下面と、水受け部２の背面構造２５とドレンタンク２７の上面に装着されたタンクカバー３５とにより画成される空間であり、手を挿入する挿入口３６となる前面とそれに続く両側の開放した自由に手を差し出し得る開放空間として構成されている。この処理空間３に上から下に向って正面から奥側に斜めに高圧空気発生部１からの作動気流が噴出される。
【００１８】
　この手乾燥装置は通常、人が対面したとき自然に差し出した手の位置に処理空間３が位置する高さに洗面所等の壁面に対して取付けられる。このように取付けられた、手乾燥装置の挿入口３６から濡れた手を処理空間３に差し出すと、手感知センサー１５が手の存在を検知し、ブロアー７及びヒーター１４が動作し、温風の作動気流が処理空間３に吹出される。処理空間３に差し出した手に付着している水分は挿入口３６近傍に形成される作動気流により処理空間３の奥側へ吹き飛ばされ、タンクカバー３５に受止められやがてはドレン口３４からドレンタンク２７内に貯溜される。こうして濡れた手は迅速に乾燥処理される。乾燥処理の完了した手を処理空間３から引出せば、手感知センサー１５により手の不在検知がなされ、ブロアー７及びヒーター１４は停止し、手乾燥装置は待機状態になる。
【００１９】
　ブロアー７への給気は、水受け部２の下部の吸込口２９から行なわれ、吸込口２９から吸い込まれた空気は、第１のエアーフィルター３０により塵埃を除去され、清浄化されて水受け部２の通気路２８を経て第２のエアーフィルター１１を通過して、高圧空気発生部１の通気路９に至りブロアー７に吸込まれ、昇圧されてブロアーケース８に排気される。ブロアーケース８に排気された高圧空気は、ブロアーケース８の吹出口から出たところでヒーター１４により加温され、気流噴出ノズル１２により作動気流としての高速空気流に変換され処理空間３に吹出される。処理空間３に吹出される作動気流は、処理空間３の奥側に５度〜３０度の角度をもっているため、手の水分を処理空間３の奥側へ向って吹き飛ばすことになり、これにより挿入口３６から外部への水の飛散が回避される。
【００２０】
　この手乾燥装置では、第１のエアーフィルター３０が清掃時に付け忘れられたり、悪戯により外されたりしていても、第２のエアーフィルター１１が第１のエアーフィルター３０と同様に機能し、故障原因とならない適切な運転状態を維持することができる。第２のエアーフィルター１１は、必ずしも固着しなくても内部に収められているため外されたりすることはないが、通常においては第１のエアーフィルター３０が機能しているため、第２のエアーフィルター１１のメンテナンス回数は少なくて済むのでこの実施の形態のように固着しても構わない。また、第２のエアーフィルター１１の取付位置についても、第１のエアーフィルター３０より下流側のブロアー７の吸込口までの間であればどこであっても構わない。
【００２１】
実施の形態２．
　図４〜８はこの実施の形態２の手乾燥装置を示したものである。この手乾燥装置も水受け部２の吸込口部分の構成以外は、実施の形態１で示したものと同じである。従って、実施の形態１のものと同じ部分については実施の形態１のものと同一の符号を用い、それらについての説明は省略する。
【００２２】
　手乾燥装置は設置場所が洗面所等の水をよく使うところであることが多く、清掃等に用いた水が外殻の表面に付着したりしていると高速空気流を作り出すブロアー７の吸込口から水が空気とともに吸込まれ、ブロアー７の故障につながり易い。特にブロアー７への吸込口２９が下端に設けられていると、上からの水が表面を伝わって下端に集まるので顕在化する。これを防止するためにこの実施の形態２の手乾燥装置は、図５，６に示すように水受け部２の下端において外部に開口する吸込口２９の周りに水の吸込みを防止する水離隔構造を設けている。水離隔構造としては、吸込口２９の口縁から、流下してくる水を遠ざける水の進路を構成すればよく、吸込口２９から少し離れたところでその全周を囲む凹溝３７としても凸条３８としてもよい。
【００２３】
　このような水離隔構造を設けることにより、上方から流下してきた水は図５，６に示すように凹溝３７の外側に導かれ、或いは凸条３８の先に導かれ、吸込口２９への進路が断たれることになり、吸込口２９から吸込まれることを回避できる。水離隔構造を、図７に示すように吸込口２９の内部に流れ方向に間隔を持ち、先端が互いに立体的に重なり合う千鳥状に配列させた複数の障壁３９により構成すれば、下向きの吸込口２９にも横向きの吸込口２９にも対応することができる。即ち、空気と一緒に吸込まれた水滴は、質量が大きいため空気とは一緒に挙動できず、障壁３９に次々と捉えられやがては集合して滴下することになり、ブロアー７に吸込まれることを回避できる。障壁３９の先端４０を上流側に向けて図８に示すように鈎状に構成すれば、障壁３９の水に対する侵入妨害機能は一層向上する。これ以外の機能は実施の形態１のものと同じである。
【図面の簡単な説明】
【００２４】
【図１】実施の形態１の手乾燥装置の分解斜視図である。
【図２】実施の形態１の手乾燥装置の縦断側面図である。
【図３】実施の形態１の電源コードの引出し部分の部分構成図である。
【図４】実施の形態２の手乾燥装置の略体斜視図である。
【図５】実施の形態２の手乾燥装置の水離隔構造を示す断面図である。
【図６】実施の形態２の手乾燥装置の他の水離隔構造を示す断面図である。
【図７】実施の形態２の手乾燥装置の他の水離隔構造を示す断面図である。
【図８】実施の形態２の手乾燥装置の他の水離隔構造を示す断面図である。
【符号の説明】
【００２５】
　１　高圧空気発生部、　２　水受け部、　３　処理空間、　７　ブロアー、　１１　第２のエアーフィルター、　１２　気流噴出ノズル、　２９　吸込口、　３０　第１のエアーフィルター、　３６　挿入口、　３７　凹溝、　３８　凸条、　３９　障壁。
【図１】
2004000716.tif 000003
【図２】
2004000716.tif 000004
【図３】
2004000716.tif 000005
【図４】
2004000716.tif 000006
【図５】
2004000716.tif 000007
【図６】
2004000716.tif 000008
【図７】
2004000716.tif 000009
【図８】
2004000716.tif 000010